(57)【要約】【課題】真空断熱パネルの位置合せを容易にして製造コストを削減できる冷蔵庫を提供する。【解決手段】前面を開口して冷蔵室２と冷凍室３とを仕切って形成する内箱１２と、内箱１２の外側を覆う外箱１１と、内箱１２と外箱１１との間に充填される発泡断熱材１３と、芯材２５を外被材２６で覆って内部が減圧されるとともに内箱１２と外箱１１との間に配される真空断熱パネル２１とを有する断熱箱体１０を備えた冷蔵庫１において、真空断熱パネル２１が内箱１２に当接して冷蔵室２に面した第１当接部２１ａと冷凍室３に面した第２当接部２１ｂとを有し、冷蔵室２が冷凍室３に対して外箱１１側に突出するとともに、第１当接部２１ａの厚みが第２当接部２１ｂよりも薄く第１、第２当接部２１ａ、２１ｂ間の段部２１ｃが冷蔵室２の周部に当接する。【選択図】図２
2009121694.tif 000002
【特許請求の範囲】
【請求項１】
前面を開口して冷蔵室と冷凍室とを仕切って形成する内箱と、前記内箱の外側を覆う外箱と、前記内箱と前記外箱との間に充填される発泡断熱材と、芯材を外被材で覆って内部が減圧されるとともに前記内箱と前記外箱との間に配される真空断熱パネルとを有する断熱箱体を備えた冷蔵庫において、前記真空断熱パネルが前記内箱に当接して前記冷蔵室に面した第１当接部と前記冷凍室に面した第２当接部とを有し、前記冷蔵室が前記冷凍室に対して前記外箱側に突出するとともに、第１当接部の厚みが第２当接部よりも薄く第１、第２当接部間の段部が前記冷蔵室の周部に当接することを特徴とする冷蔵庫。
【請求項２】
前記芯材は繊維状素材を成形した板状部材を積層して成ることを特徴とする請求項１に記載の冷蔵庫。
【請求項３】
前記内箱の側面及び背面にそれぞれ前記真空断熱パネルを設け、隣接する前記真空断熱パネルの第２当接部が接することを特徴とする請求項１または請求項２に記載の冷蔵庫。
【請求項４】
前記段部を傾斜面にしたことを特徴とする請求項３に記載の冷蔵庫。
【発明の詳細な説明】
【技術分野】
【０００１】
本発明は、断熱箱体内に真空断熱パネルを備えた冷蔵庫に関する。
【背景技術】
【０００２】
従来の冷蔵庫は特許文献１に開示されている。この冷蔵庫は本体筐体を形成する断熱箱体内に真空断熱パネルを有している。断熱箱体は外箱と内箱との間に発泡ウレタン等の断熱材が充填され、内箱によって上下に仕切られた冷凍室及び冷蔵室が形成される。真空断熱パネルは外箱に接して配置され、発泡ウレタン等の有機発泡体から成る芯材を外被材で覆って内部が減圧される。これにより、断熱効果の高い冷蔵庫を得ることができる。
【０００３】
また、真空断熱パネルは冷凍室に面した部分が冷蔵室に面した部分よりも厚く形成される。このため、低温の冷凍室への熱侵入を小さくすることができ、冷蔵庫の断熱性をより向上することができる。
【０００４】
【特許文献１】実開平１−１１２３９１号（第１頁−第１０頁、第６図）
【特許文献２】実開平１−５８０８７号（第１頁−第６頁、第２図）
【発明の開示】
【発明が解決しようとする課題】
【０００５】
しかしながら、上記従来の冷蔵庫によると、真空断熱パネルが外箱に接して設けられる。このため、真空断熱パネルの位置合わせ精度が低下すると厚みの薄い部分が冷凍室に対向して断熱性能が低下する。従って、真空断熱パネルの位置合わせを精度良く行うため工数が増加し、冷蔵庫の製造コストがかかる問題があった。
【０００６】
本発明は、真空断熱パネルの位置合せを容易にして製造コストを削減できる冷蔵庫を提供することを目的とする。
【課題を解決するための手段】
【０００７】
上記目的を達成するために本発明は、前面を開口して冷蔵室と冷凍室とを仕切って形成する内箱と、前記内箱の外側を覆う外箱と、前記内箱と前記外箱との間に充填される発泡断熱材と、芯材を外被材で覆って内部が減圧されるとともに前記内箱と前記外箱との間に配される真空断熱パネルとを有する断熱箱体を備えた冷蔵庫において、前記真空断熱パネルが前記内箱に当接して前記冷蔵室に面した第１当接部と前記冷凍室に面した第２当接部とを有し、前記冷蔵室が前記冷凍室に対して前記外箱側に突出するとともに、第１当接部の厚みが第２当接部よりも薄く第１、第２当接部間の段部が前記冷蔵室の周部に当接することを特徴としている。
【０００８】
この構成によると、外箱と内箱との間に真空断熱パネルを配して発泡断熱材が充填され、断熱箱体が形成される。真空断熱パネルは内箱に当接し、冷蔵室は冷凍室よりも例えば背面側に突出する。真空断熱パネルの厚みの薄い第１当接部は突出した冷蔵室の背面に当接し、厚みの厚い第２当接部は冷蔵室よりも前方に配された冷凍室の背面に当接する。第１、第２当接部間の段部は冷蔵室の例えば背面下端に当接し、真空断熱パネルが位置決めされる。
【０００９】
また本発明は、上記構成の冷蔵庫において、前記芯材は繊維状素材を成形した板状部材を積層して成ることを特徴としている。
【００１０】
また本発明は、上記構成の冷蔵庫において、前記内箱の側面及び背面にそれぞれ前記真空断熱パネルを設け、隣接する前記真空断熱パネルの第２当接部が接することを特徴としている。この構成によると、例えば、内箱の背面に配される真空断熱パネルの横幅が冷凍室よりも広く形成され、該真空断熱パネルの第２当接部の前面と内箱の側面に配される真空断熱パネルの第２当接部の端面とが当接する。
【００１１】
また本発明は、上記構成の冷蔵庫において、前記段部を傾斜面にしたことを特徴としている。この構成によると、傾斜面により隣接する真空断熱パネル間に形成される隙間を介して発泡断熱材の原液が冷蔵室と冷凍室とを仕切る断熱壁内に流入する。
【発明の効果】
【００１２】
本発明によると、内箱に当接する真空断熱パネルの第１当接部の厚みが第２当接部よりも薄いので、低温の冷凍室への熱侵入を小さくすることができ、断熱効果の高い冷蔵庫を得ることができる。また、真空断熱パネルが内箱に当接して第１、第２当接部間の段部が冷蔵室の周部に当接するので、真空断熱パネルを容易に位置決めすることができる。従って、冷蔵庫の製造コストを削減することができる。
【００１３】
また本発明によると、芯材は繊維状素材を成形した板状部材を積層して成るので、厚みの異なる第１、第２当接部を有した真空断熱パネルを容易に実現することができる。また、芯材が繊維状素材から成るため発泡ウレタン等の有機発泡体に比して空隙が多く、真空断熱性能をより向上することができる。
【００１４】
また本発明によると、内箱の側面及び背面にそれぞれ設けた真空断熱パネルの第２当接部が接するので、真空断熱パネルの被覆率が増加して冷蔵庫の断熱性をより向上することができる。
【００１５】
また本発明によると、第１、第２当接部間の段部を傾斜面にしたので、薄い第１当接部を段部により補強して真空断熱パネルの強度が向上する。従って、真空断熱パネルの搬送時等の破損を低減することができる。また、傾斜面により隣接する真空断熱パネル間に形成される隙間を介して発泡断熱材の原液が冷蔵室と冷凍室とを仕切る断熱壁内に流入する。これにより、断熱壁内の発泡断熱材の充填不足による断熱性の低下を防止することができる。
【発明を実施するための最良の形態】
【００１６】
以下に本発明の実施形態を図面を参照して説明する。図１は一実施形態の冷蔵庫の斜視図を示している。冷蔵庫１は本体筐体を形成する断熱箱体１０を有し、断熱箱体１０と一体の断熱壁１０ａで仕切られた冷蔵室２及び冷凍室３が上下に並設される。冷蔵室２及び冷凍室３のの前面はそれぞれ扉２ａ、３ａにより開閉される。
【００１７】
図２、図３は断熱箱体１０の側面断面図及び上面断面図を示している。冷蔵庫１の断熱箱体１０は前面が開口する箱状を成している。断熱箱体１０の外面は外箱１１により形成され、内面は内箱１２により形成される。外箱１１と内箱１２との間には真空断熱パネル２１、２２が配され、発泡ウレタン等の発泡断熱材１３が充填されている。
【００１８】
外箱１１は鉄板等の金属板から成る側面板１１ａ、背面板１１ｂ及び底面板（不図示）を接合して形成される。側面板１１ａは金属板を折曲して外箱１１の天面及び両側面を形成する。
【００１９】
内箱１２は樹脂成形品から成り、断熱壁１０ａを形成して冷蔵室２と冷凍室３とを区分けする。冷蔵室２の背面は冷凍室３の背面に対して外箱１１側に幅Ｄだけ突出し、冷蔵室２の両側面は冷凍室３の両側面に対してそれぞれ外箱１１側に幅Ｗだけ突出する。これにより、冷蔵室２の横断面の面積が冷凍室３よりも広くなっている。
【００２０】
真空断熱パネル２１は内箱１２の背面に当接して配され、真空断熱パネル２２は内箱１２の両側面にそれぞれ当接して配される。
【００２１】
図４は真空断熱パネル２１の一部を示す断面図である。真空断熱パネル２２も真空断熱パネル２１と同様に構成される。真空断熱パネル２１は袋状の外被材２６内に芯材２５を内包する。外被材２６の内部は真空引きにより芯材２５がスペーサとなって減圧され、外被材２６は端部２６ａを密着して封止されている。
【００２２】
芯材２５はグラスウール等の繊維状素材を成形した板状部材２５ａ〜２５ｅを積層して形成される。詳細を後述するように、真空断熱パネル２１は厚みの異なる第１、第２当接部２１ａ、２１ｂを有している。第１当接部２１ａは板状部材２５ａ、２５ｂ、２５ｃを積層して形成され、第２当接部２１ｂは更に板状部材２５ｄ、２５ｅを積層して形成される。
【００２３】
外被材２６は端部が互いに接着される積層フィルム２７、２８から成っている。積層フィルム２７、２８は表面保護層２７ａ、２８ａと接着層２７ｂ、２８ｂとが中間層（不図示）を介して積層される。表面保護層２７ａ、２８ａはナイロン等から成り、最外層に配されて外被材２６の表面を保護する。接着層２７ｂ、２８ｂは高密度ポリエチレン（ＨＤＰＥ）等から成り、熱溶着により積層フィルム２７、２８の端部を密着させる。
【００２４】
中間層は第１、第２バリア層（不図示）を積層して形成される。第１バリア層はエチレンビニルアルコール共重合体（ＥＶＯＨ）から成る基台上にアルミニウム蒸着を施した面にポリ塩化ビニル（ＰＶＣ）系樹脂をコーティングして形成されている。これにより、二酸化炭素やシクロペンタン等のガスを遮蔽することができる。また、第２バリア層はアルミニウム蒸着を施したポリエステル（ＰＥＴ）から成り、水蒸気等のガスを遮蔽する。これにより高いバリア性が保持されている。
【００２５】
図２、図３において、真空断熱パネル２１の上部には冷蔵室２の背面に面して厚みの薄い第１当接部２１ａが形成される。真空断熱パネル２１の下部には冷凍室３の背面に面して第１当接部２１ａよりも厚みの厚い第２当接部２１ｂが形成される。冷蔵室２の背面が冷凍室３の背面に対して突出するため、厚みの異なる第１、第２当接部２１ａ、２１ｂがそれぞれ冷蔵室２及び冷凍室３に当接する。第１、第２当接部２１ａ、２１ｂ間には内箱１２側が傾斜面から成る段部２１ｃが形成される。
【００２６】
真空断熱パネル２２も同様に、上部には冷蔵室２の側面に面して厚みの薄い第１当接部２２ａ（図５参照）が形成される。真空断熱パネル２２の下部には冷凍室３の側面に面して第１当接部２２ａよりも厚みの厚い第２当接部２２ｂ（図５参照）が形成される。冷蔵室２の側面が冷凍室３の側面に対して突出するため、厚みの異なる第１、第２当接部２２ａ、２２ｂがそれぞれ冷蔵室２及び冷凍室３に当接する。第１、第２当接部２２ａ、２２ｂ間には内箱１２側が傾斜面から成る段部２２ｃ（図５参照）が形成される。
【００２７】
また、真空断熱パネル２２の前端は内箱１２の前端よりも後方に配置され、真空断熱パネル２２の前面側に隙間２４ａが形成される。
【００２８】
図５は真空断熱パネル２１、２２の配置を示す斜視図である。内箱１２の背面に配される真空断熱パネル２１は冷蔵室２よりも横幅が広く形成される。真空断熱パネル２１の第２当接部２１ｂの前面は、内箱１２の側面に配された真空断熱パネル２２の第２当接部２２ｂの側端面に接している。これにより、冷蔵室２及び冷凍室３の広い範囲を真空断熱パネル２１、２２で覆うことができる。
【００２９】
第１当接部２１ａ、２２ａと第２当接部２１ｂ、２２ｂとの間の段部２１ｃ、２２ｃは内箱１２側が傾斜面により形成される。このため、冷蔵室２の背面の周部である下端が段部２１ｃ、２２ｃの上端と当接する。これにより、断熱壁１０ａを形成する冷蔵室２の底面と冷凍室３の上面との間に連通する隙間２４ｂが段部２１ｃの両側端に形成される。尚、冷蔵室２の外面の周部が曲面の場合は段部２１ｃ、２２ｃの傾斜面が冷蔵室２の曲面部分に当接する。
【００３０】
断熱箱体１０の組立時には内箱１２を前面側が下方になるように設置し、真空断熱パネル２１、２２が内箱１２上に粘着テープ等により取り付けられる。この時、段部２１ｃ、２２ｃが冷蔵室２の周部に当接して真空断熱パネル２１、２２が位置決めされる。そして、上方から外箱１１を被せ、外箱１１の背面に設けた注入口（不図示）を介して発泡断熱材１３の原液が注入される。
【００３１】
注入口から注入された発泡断熱材１３の原液は真空断熱パネル２１、２２の外面側に沿って流通する。また、発泡断熱材１３の原液は矢印Ａ（図５参照）に示すように隙間２４ｂを介して冷蔵室２と冷凍室３との間に流入する。更に、発泡断熱材１３の原液は真空断熱パネル２２の前方の隙間２４ａを介して冷蔵室２と冷凍室３との間に流入する。発泡断熱材１３は反応によって発泡し、内箱１２と外箱１１の間及び断熱壁１０ａ内に充填される。
【００３２】
尚、内箱１２の天面を覆う平板状の真空断熱パネルを別途設けてもよく、内箱１２の底面を覆う真空断熱パネルを設けてもよい。
【００３３】
本実施形態によると、内箱１２に当接する真空断熱パネル２１、２２の第１当接部２１ａ、２２ａの厚みが第２当接部２１ｂ、２２ｂよりも薄いので、低温の冷凍室３への熱侵入を小さくすることができ、断熱効果の高い冷蔵庫１を得ることができる。また、第１当接部２１ａ、２２ａと第２当接部２１ｂ、２２ｂとの間の段部２１ｃ、２２ｃが冷蔵室２の周部に当接するので、真空断熱パネル２１、２２を容易に位置決めすることができる。従って、冷蔵庫１の製造コストを削減することができる。
【００３４】
また、真空断熱パネル２１、２２の芯材２５は繊維状素材を成形した板状部材２５ａ〜２５ｅを積層して成るので、厚みの異なる第１当接部２１ａ、２２ａと第２当接部２１ｂ、２２ｂとを有した真空断熱パネル２１、２２を容易に実現することができる。また、芯材２５が繊維状素材から成るため発泡ウレタン等の有機発泡体に比して空隙が多く、真空断熱性能をより向上することができる。
【００３５】
また、内箱１２の背面に設けた真空断熱パネル２１の第２当接部２１ｂと側面に設けた真空断熱パネル２２の第２当接部２２ｂとが接するので、真空断熱パネル２１、２２による被覆率が増加して冷蔵庫１の断熱性をより向上することができる。
【００３６】
この時、段部２１ｃ、２２ｃを傾斜面にしたので、薄い第１当接部２１ａ、２２ａを段部２１ｃ、２２ｃにより補強して真空断熱パネル２１、２２の強度が向上する。従って、真空断熱パネル２１、２２の搬送時等の破損を低減することができる。また、傾斜面により形成される隙間２４ｂを介して発泡断熱材１３の原液が冷蔵室２と冷凍室３とを仕切る断熱壁１０ａ内に流入する。これにより、断熱壁１０ａ内の発泡断熱材の充填不足による断熱性の低下を防止することができる。
【００３７】
尚、真空断熱パネル２２の前端を介して断熱壁１０ａ内に発泡断熱材１３の原液が充分行き渡る場合は、段部２１ｃ、２２ｃを水平面により形成してもよい。これにより、水平面から成る段部２１ｃ、２２ｃが冷蔵室２の底面側の周部に当接して真空断熱パネル２１、２２が位置決めされる。
【００３８】
また、真空断熱パネル２１、２２によって内箱１２の背面及び両側面を覆っているが、一面または二面を覆う冷蔵庫１でもよい。この場合も同様に真空断熱パネル２１、２２を容易に位置決めすることができる。
【産業上の利用可能性】
【００３９】
本発明によると、断熱箱体内に真空断熱パネルを備えた冷蔵庫に利用することができる。
【図面の簡単な説明】
【００４０】
【図１】本発明の実施形態の冷蔵庫を示す斜視図
【図２】本発明の実施形態の冷蔵庫の断熱箱体を示す側面断面図
【図３】本発明の実施形態の冷蔵庫の断熱箱体を示す上面断面図
【図４】本発明の実施形態の冷蔵庫の真空断熱パネルを示す断面図
【図５】本発明の実施形態の冷蔵庫の真空断熱パネルの配置を示す斜視図
【符号の説明】
【００４１】
１    冷蔵庫
２    冷蔵室
３    冷凍室
１０    断熱箱体
１０ａ  断熱壁
１１    外箱
１２    内箱
１３    発泡断熱材
２１、２２  真空断熱パネル
２１ａ、２２ａ  第１当接部
２１ｂ、２２ｂ  第２当接部
２１ｃ、２２ｃ  段部
２４ａ、２４ｂ  隙間
２５    芯材
２６    外被材
【図１】
2009121694.tif 000003
【図２】
2009121694.tif 000004
【図３】
2009121694.tif 000005
【図４】
2009121694.tif 000006
【図５】
2009121694.tif 000007